(57)【特許請求の範囲】
【請求項１】
設定された時刻に所定の報知動作を行うための報知機能情報が設定されている複数の携帯電話機を有する携帯電話システムであって、
前記各携帯電話機から送信された前記報知機能情報を、配信先として指定された他の携帯電話機宛に配信する報知機能情報配信サーバが設けられ、
前記各携帯電話機は、
配信先として指定した他の携帯電話機宛に前記報知機能情報配信サーバを介して前記報知機能情報を送信して共有させる一方、自機が他の携帯電話機によって配信先として指定されたとき、前記他の携帯電話機から前記報知機能情報配信サーバを介して受信した前記報知機能情報を設定して共有する報知機能情報共有手段と、
該報知機能情報共有手段で共有されている前記報知機能情報に基づいて前記報知動作を行う報知動作手段とが設けられていて、かつ、
前記報知機能情報には、設定された時刻に行う前記報知動作を毎日又は何日かおきに繰り返す又は繰り返さないことを定める繰り返し情報が含まれていると共に、
前記報知機能情報共有手段は、
他の携帯電話機から自機宛に配信された前記報知機能情報の設定の可否を他の携帯電話機毎に示す設定可否情報を有し、任意の他の携帯電話機から前記報知機能情報配信サーバを介して前記報知機能情報を受信したときは、前記設定可否情報が設定可を示すときのみ、受信した当該報知機能情報を設定して共有することを特徴とする携帯電話システム。
【請求項２】
前記報知機能情報共有手段は、
前記他の携帯電話機の電話番号又はメールアドレスの少なくとも一方を電話帳データとして記憶すると共に、前記他の携帯電話機毎の前記設定可否情報を記憶する電話帳データ記憶手段と、
自機に設定されている前記報知機能情報を、配信先として指定した他の携帯電話機宛に前記電話帳データに基づいて前記報知機能情報配信サーバを介して送信する一方、自機が他の携帯電話機の配信先として指定されたとき、前記他の携帯電話機から前記報知機能情報配信サーバを介して配信された前記報知機能情報を受信する通信手段と、
自機に設定されている前記報知機能情報、及び、前記通信手段で受信された前記報知機能情報のうち、前記電話帳データ記憶手段に記憶されている前記設定可否情報が設定可を示す前記報知機能情報のみを記憶する報知機能情報記憶手段とを備え、
前記報知動作手段は、
前記報知機能情報記憶手段に記憶されている前記報知機能情報に基づいて前記報知動作を行う構成とされていることを特徴とする請求項１記載の携帯電話システム。
【請求項３】
前記報知動作手段は、
前記報知動作を聴覚的又は触覚的に行う構成とされていることを特徴とする請求項２記載の携帯電話システム。
【請求項４】
前記機能情報配信サーバは、
前記各携帯電話機から送信された前記報知機能情報を記憶すると共に、前記報知機能情報の配信先として指定された携帯電話機の電話番号又はメールアドレスの少なくとも一方を配信先情報として記憶する配信情報記憶手段を備えてなることを特徴とする請求項１記載の携帯電話システム。
【請求項５】
設定された時刻に所定の報知動作を行うための報知機能情報が設定されている複数の携帯電話機を有する携帯電話システムに用いられる機能情報設定方法であって、
前記各携帯電話機から送信された前記報知機能情報を、配信先として指定された他の携帯電話機宛に配信する報知機能情報配信サーバを設けておき、
前記各携帯電話機が、配信先として指定した他の携帯電話機宛に前記報知機能情報配信サーバを介して前記報知機能情報を送信して共有させる一方、自機が他の携帯電話機によって配信先として指定されたとき、前記他の携帯電話機から前記報知機能情報配信サーバを介して受信した前記報知機能情報を設定して共有する報知機能情報共有処理を行い、かつ、
前記報知機能情報に、設定された時刻に行う所定の報知動作を毎日又は何日かおきに繰り返す又は繰り返さないことを定める繰り返し情報を含ませると共に、
前記報知機能情報共有処理では、
他の携帯電話機から自機宛に配信された前記報知機能情報の設定の可否を他の携帯電話機毎に示す設定可否情報を取得し、任意の他の携帯電話機から前記報知機能情報配信サーバを介して前記報知機能情報を受信したときは、前記設定可否情報が設定可を示すときのみ、受信した当該報知機能情報を設定して共有する処理を行うことを特徴とする機能情報設定方法。
【請求項６】
前記報知機能情報共有処理では、
前記他の携帯電話機の電話番号又はメールアドレスの少なくとも一方を電話帳データとして記憶すると共に、前記他の携帯電話機毎の前記設定可否情報を記憶する電話帳データ記憶処理と、
自機に設定されている前記報知機能情報を、配信先として指定した他の携帯電話機宛に前記電話帳データに基づいて前記報知機能情報配信サーバを介して送信する一方、自機が他の携帯電話機の配信先として指定されたとき、前記他の携帯電話機から前記報知機能情報配信サーバを介して配信された前記報知機能情報を受信する通信処理と、
自機に設定されている前記報知機能情報、及び、前記通信処理で受信された前記報知機能情報のうち、前記電話帳データ記憶手段に記憶されている前記設定可否情報が設定可を示す前記報知機能情報のみを記憶する報知機能情報記憶処理とを行い、
前記報知機能情報記憶処理で記憶されている前記報知機能情報に基づいて前記報知動作を行うことを特徴とする請求項５記載の機能情報設定方法。
【請求項７】
前記報知動作を聴覚的又は触覚的に行うことを特徴とする請求項６記載の機能情報設定方法。
【請求項８】
前記機能情報配信サーバは、
前記各携帯電話機から送信された前記報知機能情報を記憶すると共に、前記報知機能情報の配信先として指定された携帯電話機の電話番号又はメールアドレスの少なくとも一方を配信先情報として記憶する配信情報記憶処理を行うことを特徴とする請求項５記載の機能情報設定方法。
【請求項９】
コンピュータを、請求項１乃至４のいずれか一に記載の携帯電話システムに用いられる携帯電話機として機能させることを特徴とする機能情報設定制御プログラム。
【請求項１０】
請求項１乃至４のいずれか一に記載の携帯電話システムに用いられる携帯電話機。
【請求項１１】
請求項１乃至４のいずれか一に記載の携帯電話システムに用いられる機能情報配信サーバ。
【発明の詳細な説明】
【技術分野】
【０００１】
この発明は、携帯電話システム、機能情報設定方法、機能情報設定制御プログラム、携帯電話機、及び機能情報配信サーバに係り、たとえば、複数の人が関わる会議やイベントなどの開始時刻を各自の携帯電話機のアラーム音を鳴動させることにより通知する場合などに用いて好適な携帯電話システム、機能情報設定方法、機能情報設定制御プログラム、携帯電話機、及び機能情報配信サーバに関する。
【背景技術】
【０００２】
携帯電話機は、通常の通話機能の他、設定された時刻にアラーム音や振動を発生する報知動作機能を有していることが多い。この報知動作機能は、忘れてはいけない会議やイベントなどの時刻をユーザに知らせるために有益な機能である。
【０００３】
この種の関連する技術としては、たとえば、特許文献１に記載されたセクレタリーサービスシステムがある。
このセクレタリーサービスシステムでは、利用者側入力端末がデータ通信網を介して配信サービス側端末と接続されている。そして、利用者が利用者側入力端末を操作することにより、スケジュール情報、記念日などのイベント情報、及び配信を希望する配信先携帯端末（携帯電話機）の端末情報が入力されて配信サービス側端末に格納され、設定された配信時刻に、抽出されたスケジュール情報やイベント情報などが配信先携帯端末に対して配信される。
【特許文献１】特開２００１−１５６９１９号公報（要約書、図１）
【発明の開示】
【発明が解決しようとする課題】
【０００４】
しかしながら、上記文献を含む上記技術では、次のような問題点があった。
すなわち、現状の携帯電話機では、報知動作機能の設定を各ユーザが個別に行う必要がある。このため、たとえば、複数人で待ち合わせや打ち合わせなどを行う場合、ユーザによっては、上記設定をしていないことや、設定内容が異なることがあり、各自の行動スケジュールが合わないことがあるという問題点があった。
【０００５】
また、特許文献１に記載されたセクレタリーサービスシステムは、配信サービス側端末により、スケジュール情報やイベント情報などが配信先携帯端末に配信されるものであり、アラーム音の発生など、報知動作を行うための報知機能情報が設定されるものではないので、上記の問題点は、改善されない。
【０００６】
この発明は、上述の事情に鑑みてなされたもので、携帯電話機の報知動作機能の設定を各ユーザが個別に行う必要のない携帯電話システム、機能情報設定方法、機能情報設定制御プログラム、携帯電話機、及び機能情報配信サーバを提供することを目的としている。
【課題を解決するための手段】
【０００７】
上記課題を解決するために、この発明の第１の構成は、設定された時刻に所定の報知動作を行うための報知機能情報が設定されている複数の携帯電話機を有する携帯電話システムに係り、前記各携帯電話機から送信された前記報知機能情報を、配信先として指定された他の携帯電話機宛に配信する報知機能情報配信サーバが設けられ、前記各携帯電話機は、配信先として指定した他の携帯電話機宛に前記報知機能情報配信サーバを介して前記報知機能情報を送信して共有させる一方、自機が他の携帯電話機によって配信先として指定されたとき、前記他の携帯電話機から前記報知機能情報配信サーバを介して受信した前記報知機能情報を設定して共有する報知機能情報共有手段と、該報知機能情報共有手段で共有されている前記報知機能情報に基づいて前記報知動作を行う報知動作手段とが設けられていて、かつ、前記報知機能情報には、設定された時刻に行う前記報知動作を毎日又は何日かおきに繰り返す又は繰り返さないことを定める繰り返し情報が含まれていると共に、前記報知機能情報共有手段は、他の携帯電話機から自機宛に配信された前記報知機能情報の設定の可否を他の携帯電話機毎に示す設定可否情報を有し、任意の他の携帯電話機から前記報知機能情報配信サーバを介して前記報知機能情報を受信したときは、前記設定可否情報が設定可を示すときのみ、受信した当該報知機能情報を設定して共有することを特徴としている。
【０００８】
この発明の第２の構成は、設定された時刻に所定の報知動作を行うための報知機能情報が設定されている複数の携帯電話機を有する携帯電話システムに用いられる機能情報設定方法に係り、前記各携帯電話機から送信された前記報知機能情報を、配信先として指定された他の携帯電話機宛に配信する報知機能情報配信サーバを設けておき、前記各携帯電話機が、配信先として指定した他の携帯電話機宛に前記報知機能情報配信サーバを介して前記報知機能情報を送信して共有させる一方、自機が他の携帯電話機によって配信先として指定されたとき、前記他の携帯電話機から前記報知機能情報配信サーバを介して受信した前記報知機能情報を設定して共有する報知機能情報共有処理を行い、かつ、前記報知機能情報に、設定された時刻に行う所定の報知動作を毎日又は何日かおきに繰り返す又は繰り返さないことを定める繰り返し情報を含ませると共に、前記報知機能情報共有処理では、他の携帯電話機から自機宛に配信された前記報知機能情報の設定の可否を他の携帯電話機毎に示す設定可否情報を取得し、任意の他の携帯電話機から前記報知機能情報配信サーバを介して前記報知機能情報を受信したときは、前記設定可否情報が設定可を示すときのみ、受信した当該報知機能情報を設定して共有する処理を行うことを特徴としている。
【発明の効果】
【０００９】
この発明の構成によれば、各ユーザが個別に操作することなく、同一の報知機能情報を複数の携帯電話機に一括して設定することができる。
【発明を実施するための最良の形態】
【００１０】
設定された時刻に所定の報知動作を行うための報知機能情報が設定されている複数の携帯電話機から送信された上記報知機能情報を、配信先として指定された他の携帯電話機宛に配信する報知機能情報配信サーバが設けられ、上記各携帯電話機に、配信先として指定した他の携帯電話機宛に上記報知機能情報配信サーバを介して上記報知機能情報を送信して共有させる一方、当該携帯電話機が他の携帯電話機の配信先として指定されたとき、上記他の携帯電話機から上記報知機能情報配信サーバを介して配信された上記報知機能情報を設定して共有する報知機能情報共有手段と、同報知機能情報共有手段で共有されている上記報知機能情報に基づいて上記報知動作を行う報知動作手段とが設けられている携帯電話システム、機能情報設定方法、機能情報設定制御プログラム、携帯電話機、及び機能情報配信サーバを提供する。
【００１１】
また、この発明では、上記報知機能情報共有手段は、上記他の携帯電話機の電話番号又はメールアドレスの少なくとも一方を電話帳データとして記憶する電話帳データ記憶手段と、当該携帯電話機に設定されている上記報知機能情報を、配信先として指定した他の携帯電話機宛に上記電話帳データに基づいて上記報知機能情報配信サーバを介して送信する一方、当該携帯電話機が他の携帯電話機の配信先として指定されたとき、上記他の携帯電話機から上記報知機能情報配信サーバを介して配信された上記報知機能情報を受信する通信手段と、当該携帯電話機に設定されている上記報知機能情報、及び上記通信手段で受信された上記報知機能情報を記憶する報知機能情報記憶手段とを備え、上記報知動作手段は、上記報知機能情報記憶手段に記憶されている上記報知機能情報に基づいて上記報知動作を行う構成とされている。
【００１２】
また、この発明では、上記報知動作手段は、上記報知動作を聴覚的又は触覚的に行う構成とされている。
【００１３】
また、この発明では、上記電話帳データ記憶手段は、当該携帯電話機宛に配信された上記報知機能情報の設定の可否を上記他の携帯電話機毎に表す設定可否情報を記憶する構成とされ、上記報知機能情報記憶手段は、上記設定可否情報が設定可を示す場合にのみ上記報知機能情報を記憶する構成とされている。これにより、いたずらによる設定を防止することができる。
【００１４】
また、この発明では、上記機能情報配信サーバは、上記各携帯電話機から送信された上記報知機能情報、及び上記報知機能情報の配信先として指定された携帯電話機の電話番号又はメールアドレスの少なくとも一方を配信先情報として記憶する配信情報記憶手段を備えている。
【実施例】
【００１５】
図１は、この発明の一実施例である携帯電話システムの要部の電気的構成及び同システムが用いられる環境を示す図である。
この例の携帯電話システムは、同図に示すように、携帯電話機１０ａ，１０ｂ，１０ｃ，１０ｄと、アラーム設定サーバ２１と、Ｐｕｓｈ（プッシュ）配信サーバ２２とから構成されている。携帯電話機１０ａ，１０ｂ，１０ｃ，１０ｄは、通常の通話機能を有する他、設定された時刻に報知動作（たとえば、アラーム音発生）を行うための報知機能情報（「アラーム情報」ともいう）が設定されている。
【００１６】
また、この例の環境では、携帯電話機１０ａは無線基地局３１に無線接続され、同無線基地局３１が携帯網３２を介してアラーム設定サーバ２１とＰｕｓｈ配信サーバ２２とに接続されている。携帯電話機１０ｂは無線基地局３３に無線接続され、同無線基地局３３が携帯網３４を介してアラーム設定サーバ２１とＰｕｓｈ配信サーバ２２とに接続されている。携帯電話機１０ｃ，１０ｄは無線基地局３５に無線接続され、同無線基地局３５が携帯網３４を介してアラーム設定サーバ２１とＰｕｓｈ配信サーバ２２とに接続されている。携帯網３４，３５は、図示しない在圏移動通信交換局、関門移動通信交換局及び通常の電話回線などで構成されている。
【００１７】
アラーム設定サーバ２１及びＰｕｓｈ配信サーバ２２は、たとえば、携帯電話の通信サービスを提供する携帯キャリアＭＣに設けられている。アラーム設定サーバ２１は、携帯電話機１０ａから送信された上記報知機能情報、及び配信先として指定された他の携帯電話機（たとえば、携帯電話機１０ｂ，１０ｃ，１０ｄの全て又は一部）の電話番号及びメールアドレスを保持する。Ｐｕｓｈ配信サーバ２２は、アラーム設定サーバ２１から上記報知機能情報を読み出し、たとえばＳＭＳ（Short Message Service 、ショート・メッセージ・サービス）によるショートメールとして、配信先の携帯電話機宛にＰｕｓｈ配信する。
【００１８】
携帯電話機１０ａ，１０ｂ，１０ｃ，１０ｄは、各々の配信先として指定した他の携帯電話機宛にアラーム設定サーバ２１及びＰｕｓｈ配信サーバ２２を介して上記報知機能情報を送信して共有させる一方、当該携帯電話機が他の携帯電話機の配信先として指定されたとき、上記他の携帯電話機からアラーム設定サーバ２１及びＰｕｓｈ配信サーバ２２を介して配信された上記報知機能情報を設定して共有し、また、共有されている同報知機能情報に基づいて報知動作を行う。
【００１９】
図２は、図１中の携帯電話機１０ａの要部の電気的構成を示すブロック図である。
この携帯電話機１０ａは、同図２に示すように、無線部４１と、アンテナ４１ａと、操作部４２と、ＣＰＵ（中央処理装置）４３ａと、ＲＯＭ（Read Only Memory）４３ｂと、アラーム発生部４４と、メモリ部４５とから構成されている。無線部４１は、アンテナ４１ａを介して図示しない無線基地局との間で無線電波を送受信する。操作部４２は、たとえば、送信キー、英字／カナ／漢字／数字の変換キー、電源のオン／オフキー、カーソル操作を行うための十文字キー、及び終了キーなどから構成され、ユーザにより所定の操作が行われる。
【００２０】
メモリ部４５は、たとえばＲＡＭ（Random Access Memory）などで構成され、アラーム情報記憶部４６と、電話帳データ記憶部４７とを有している。電話帳データ記憶部４７は、他の携帯電話機１０ｂ，１０ｃ，１０ｄのユーザの名前Ｎｂ，Ｎｃ，Ｎｄ、電話番号Ｔｂ，Ｔｃ，Ｔｄ及びメールアドレスＭｂ，Ｍｃ，Ｍｄを電話帳データとして記憶し、特に、この実施例では、当該携帯電話機１０ａ宛に配信された上記報知機能情報の設定の可否を他の携帯電話機毎に表す設定可否情報（“○”又は“×”）も記憶する。ＣＰＵ（中央処理装置）４３ａは、携帯電話機１０ａ全体を制御するコンピュータであり、特に、この実施例では、通信制御部４８を備えている。通信制御部４８は、当該携帯電話機１０ａに設定されている上記報知機能情報を、上記電話帳データに基づいて、配信先として指定した他の携帯電話機宛に、無線部４１、アラーム設定サーバ２１及びＰｕｓｈ配信サーバ２２を介して送信する。また、通信制御部４８は、当該携帯電話機１０ａが他の携帯電話機の配信先として指定されたとき、同他の携帯電話機からアラーム設定サーバ２１及びＰｕｓｈ配信サーバ２２を介して配信された報知機能情報を無線部４１を介して受信する。ＲＯＭ４３ｂは、ＣＰＵ４３ａを動作させるための機能情報設定制御プログラムが記録されている。
【００２１】
アラーム情報記憶部４６は、たとえばＲＡＭで構成され、当該携帯電話機１０ａに設定されている報知機能情報、及び通信制御部４８で受信された報知機能情報を記憶し、特に、この実施例では、電話帳データ記憶部４７に記憶されている設定可否情報が設定可を示す場合にのみ上記報知機能情報を記憶する。これらの報知機能情報は、携帯電話機１０ａ，１０ｂ，１０ｃ，１０ｄに対応して、たとえば、アラームのタイトルＴＬａ，ＴＬｂ，ＴＬｃ，ＴＬｄ、アラームの時刻ｔａ，ｔｂ，ｔｃ，ｔｄ、及びアラームの繰り返し情報“なし”，“毎日”，“毎週”から構成されている。アラーム発生部４４は、アラーム情報記憶部４６に記憶されている報知機能情報に基づいてアラーム音を発生する。また、携帯電話機１０ｂ，１０ｃ，１０ｄも、携帯電話機１０ａと同様のハードで構成され、それぞれのアラーム情報記憶部４６及び電話帳データ記憶部４７に当該携帯電話機に対応する情報が記憶されている。
【００２２】
図３は、図１中のアラーム設定サーバ２１の要部の電気的構成を示す図である。
このアラーム設定サーバ２１は、同図３に示すように、配信情報記憶部２１ａを備えている。配信情報記憶部２１ａは、たとえばＲＡＭで構成され、各携帯電話機１０ａ，１０ｂ，１０ｃ，１０ｄから送信された報知機能情報（アラーム情報）、及び、配信先情報として、同報知機能情報の配信先として指定された携帯電話機のユーザの名前、電話番号及びメールアドレスを記憶する。たとえば、携帯電話機１０ａから送信されたアラーム情報として、アラームのタイトルＴＬａ、アラームの時刻ｔａ及びアラームの繰り返し情報“なし”，“毎日”，“毎週”が記憶され、また、配信先情報として、携帯電話機１０ｂ，１０ｃ，１０ｄのユーザの名前Ｎｂ，Ｎｃ，Ｎｄ、電話番号Ｔｂ，Ｔｃ，Ｔｄ及びメールアドレスＭｂ，Ｍｃ，Ｍｄが記憶される。
【００２３】
図４は、図１の携帯電話システムの動作を説明するシーケンス図である。
この図を参照して、この例の携帯電話システムに用いられる機能情報設定方法の処理内容について説明する。
この携帯電話システムでは、携帯電話機１０ａにより、配信先として指定した他の携帯電話機１０ｂ，１０ｃ，１０ｄ宛にアラーム設定サーバ２１及びＰｕｓｈ配信サーバ２２を介して報知機能情報が送信されて共有される一方、同携帯電話機１０ａが他の携帯電話機１０ｂ，１０ｃ，１０ｄの配信先として指定されたとき、同携帯電話機１０ｂ，１０ｃ，１０ｄからアラーム設定サーバ２１及びＰｕｓｈ配信サーバ２２を介して配信された報知機能情報が設定されて共有される（報知機能情報共有処理）。
【００２４】
上記報知機能情報共有処理では、他の携帯電話機１０ｂ，１０ｃ，１０ｄの電話番号又はメールアドレスの少なくとも一方が電話帳データとして電話帳データ記憶部４７に記憶される（電話帳データ記憶処理）。この電話帳データ記憶処理では、当該携帯電話機１０ａ宛に配信された上記報知機能情報の設定の可否を他の携帯電話機１０ｂ，１０ｃ，１０ｄ毎に表す設定可否情報も記憶される。また、当該携帯電話機１０ａに設定されている報知機能情報が、配信先として指定した他の携帯電話機１０ｂ，１０ｃ，１０ｄ宛に上記電話帳データに基づいてアラーム設定サーバ２１及びＰｕｓｈ配信サーバ２２を介して送信される一方、当該携帯電話機１０ａが他の携帯電話機１０ｂ，１０ｃ，１０ｄの配信先として指定されたとき、他の携帯電話機１０ｂ，１０ｃ，１０ｄからアラーム設定サーバ２１及びＰｕｓｈ配信サーバ２２を介して配信された報知機能情報が受信される（通信処理）。そして、当該携帯電話機１０ａに設定されている報知機能情報、及び上記通信処理で受信された報知機能情報が記憶される（報知機能情報記憶処理）。そして、上記報知機能情報記憶処理で記憶されている報知機能情報に基づいて報知動作が行われる。
【００２５】
すなわち、図４に示すように、携帯電話機１０ａにより、アラーム情報記憶部４６から同携帯電話機１０ａの報知機能情報（アラーム情報）が読み出されると共に、電話帳データ記憶部４７から配信先として指定されている携帯電話機１０ｂ，１０ｃ，１０ｄの電話帳データが読み出されてアラーム設定サーバ２１へ送信される（ステップＡ１）。アラーム設定サーバ２１では、配信情報記憶部２１ａに、上記報知機能情報（アラーム情報）が記憶されると共に、上記電話帳データが配信先情報として記憶される（ステップＡ２、配信情報記憶処理）。Ｐｕｓｈ配信サーバ２２では、アラーム設定サーバ２１から上記報知機能情報（アラーム情報）及び電話帳データが読み出され、同電話帳データに基づいて同アラーム情報が配信先の携帯電話機１０ｂ，１０ｃ，１０ｄ宛にＰｕｓｈ配信される（ステップＡ３）。
【００２６】
携帯電話機１０ｂ，１０ｃ，１０ｄでは、上記アラーム情報が受信され、設定可否情報が設定可を示す場合に同アラーム情報が設定される（ステップＡ４，Ａ５，Ａ６）。この場合、設定可否情報が設定不可を示す場合にはアラーム情報が設定されない。この後、時刻ｔａになったとき、携帯電話機１０ａの報知機能情報（アラーム情報）に基づいて、携帯電話機１０ａ，１０ｂ，１０ｃ，１０ｄでアラームが発生する（ステップＡ７，Ａ８，Ａ９，Ａ１０、報知動作）。また、携帯電話機１０ｂ，１０ｃ，１０ｄから各々の報知機能情報（アラーム情報）が他の携帯電話機に配信される場合も、上記と同様の処理が行われる。
【００２７】
以上のように、この実施例では、携帯電話機１０ａにより、配信先として指定した他の携帯電話機１０ｂ，１０ｃ，１０ｄ宛にアラーム設定サーバ２１及びＰｕｓｈ配信サーバ２２を介して報知機能情報が送信されて共有される一方、同携帯電話機１０ａが他の携帯電話機１０ｂ，１０ｃ，１０ｄの配信先として指定されたとき、同携帯電話機１０ｂ，１０ｃ，１０ｄからアラーム設定サーバ２１及びＰｕｓｈ配信サーバ２２を介して配信された報知機能情報が設定されて共有されるので、報知動作機能の設定を各ユーザが個別に行う必要がなく、たとえば、複数人で待ち合わせや打ち合わせなどを行う場合でも、全員に正確に報知が行われる。また、設定可否情報が設定可を示す場合にのみ上記報知機能情報が記憶されるので、いたずらによる設定が防止される。
【００２８】
以上、この発明の実施例を図面により詳述してきたが、具体的な構成は同実施例に限られるものではなく、この発明の要旨を逸脱しない範囲の設計の変更などがあっても、この発明に含まれる。
たとえば、上記実施例では、各携帯電話機に報知機能情報（アラーム情報）が設定されているが、これに限定されず、たとえば、ＧＰＳ（Global Positioning System ）などによる現在地を通知するための機能情報を設定しても良い（請求項１又は７に対応）。また、図２中のアラーム発生部４４は、アラーム情報記憶部４６に記憶されている報知機能情報に基づいてアラーム音を発生するが、振動を発生することにより、報知動作を触覚的に行っても良い。
【００２９】
また、図２中の電話帳データ記憶部４７には、電話番号及びメールアドレスが記憶されているが、いずれか一方のみでも良い。また、アラーム設定サーバ２１に記憶されている報知機能情報は、Ｐｕｓｈ配信サーバ２２により読み出されて配信先の各携帯電話機宛にＰｕｓｈ配信されるが、同各携帯電話機から同アラーム設定サーバ２１に所定のタイミングで定期的にアクセスして報知機能情報を取得するようにしても良い。
【産業上の利用可能性】
【００３０】
この発明は、携帯電話機に限らず、たとえばＰＤＡ（Personal Digital Assistants ）など、携帯電話機に準じた機能を有する機器に適用しても良く、会議の開始時刻の通知やイベントの時刻通知に用いて有効である。
【図面の簡単な説明】
【００３１】
【図１】この発明の一実施例である携帯電話システムの要部の電気的構成及び同システムが用いられる環境を示す図である。
【図２】図１中の携帯電話機１０ａの要部の電気的構成を示すブロック図である。
【図３】図１中のアラーム設定サーバ２１の要部の電気的構成を示す図である。
【図４】図１の携帯電話システムの動作を説明するシーケンス図である。
【符号の説明】
【００３２】
１０ａ，１０ｂ，１０ｃ，１０ｄ      携帯電話機
２１      アラーム設定サーバ（機能情報配信サーバの一部、報知機能情報配信サーバの一部）
２１ａ      配信情報記憶部（機能情報配信サーバの一部、報知機能情報配信サーバの一部、配信情報記憶手段）
２２      Ｐｕｓｈ配信サーバ（機能情報配信サーバの一部、報知機能情報配信サーバの一部）
４１      無線部（携帯電話機の一部）
４１ａ      アンテナ（携帯電話機の一部）
４２      操作部（携帯電話機の一部）
４３ａ      ＣＰＵ（中央処理装置）（機能情報共有手段の一部、報知機能情報共有手段の一部）
４３ｂ      ＲＯＭ（Read Only Memory）（機能情報共有手段の一部、報知機能情報共有手段の一部）
４４      アラーム発生部（報知動作手段）
４５      メモリ部（機能情報共有手段の一部、報知機能情報共有手段の一部）
４６      アラーム情報記憶部（報知機能情報記憶手段）
４７      電話帳データ記憶部（電話帳データ記憶手段）
【図１】
0005217444.tif 000002
【図２】
0005217444.tif 000003
【図３】
0005217444.tif 000004
【図４】
0005217444.tif 000005